(57)【要約】【課題】照明による商品サンプルの演出効果を高めることができる自動販売機用照明装置、及び自動販売機を提供することにある。【解決手段】自動販売機用照明装置は、自動販売機１００の商品サンプル２００の展示空間１１１に設置され、色温度が３３００Ｋ未満の光を放射する温蔵商品用ＬＥＤ２０及び色温度が５３００Ｋ以上の光を放射する冷蔵商品用ＬＥＤ２１を有し、透光性を有する商品サンプル２００を該商品サンプル２００の内側から照らすサンプル用照明部２と、サンプル用照明部２の近傍に設置され、サンプル用照明部２の各ＬＥＤ２０，２１とは異なる光色の展示用ＬＥＤ３０を有して商品サンプル２００の外側の展示空間１１１を照らす展示用照明部３とが設けられた照明ブロック１を備えるとともに、温蔵商品用ＬＥＤ２０と冷蔵商品用ＬＥＤ２１のいずれかを点灯させることでサンプル用照明部２の光色を制御する制御部４を備えている。【選択図】図１
2008009544.tif 000002
【特許請求の範囲】
【請求項１】
自動販売機の商品サンプルの展示空間に設置され、透光性を有する商品サンプルを該商品サンプルの内側から照らすサンプル用照明部と、該サンプル用照明部の近傍に設置され前記サンプル用照明部とは異なる光色を有して前記商品サンプルの外側の展示空間を照らす展示用照明部と、サンプル用照明部の光色を制御する制御部とを備えていることを特徴とする自動販売機用照明装置。
【請求項２】
制御部は、温蔵商品の商品サンプルを照らすサンプル用照明部の光の色温度を、３３００Ｋ未満に設定することを特徴とする請求項１に記載の自動販売機用照明装置。
【請求項３】
制御部は、冷蔵商品の商品サンプルを照らすサンプル用照明部の光の色温度を、５３００Ｋ以上に設定することを特徴とする請求項１に記載の自動販売機用照明装置。
【請求項４】
制御部は、サンプル用照明部の光の色温度を、３３００Ｋ未満又は５３００Ｋ以上に切り換える切換手段を備えていることを特徴とする請求項１に記載の自動販売機用照明装置。
【請求項５】
商品サンプルを配置するサンプル配置治具の形状を元に商品サンプルの種別を判定する種別判定部を備え、制御部は、種別判定部の判定結果に応じて、商品サンプルを照らすサンプル用照明部の光の色温度を制御するように構成されていることを特徴とする請求項１に記載の自動販売機用照明装置。
【請求項６】
商品サンプルの種別が記憶された無線信号送信部が出力する無線信号を受信し、受信した無線信号の内容を元に商品サンプルの種別を判定する種別判定部を備え、制御部は、種別判定部の判定結果に応じて、商品サンプルを照らすサンプル用照明部の光の色温度を制御するように構成されていることを特徴とする請求項１に記載の自動販売機用照明装置。
【請求項７】
商品サンプルの種別を含む情報を表示する表示部の色を元に商品サンプルの種別を判定する種別判定部を備え、制御部は、種別判定部の判定結果に応じて、商品サンプルを照らすサンプル用照明部の光の色温度を制御するように構成されていることを特徴とする請求項１に記載の自動販売機用照明装置。
【請求項８】
制御部は、自動販売機において販売商品が貯蔵される貯蔵庫の庫内の温度を制御する温度制御信号を元に商品サンプルの種別を判定し、その判定結果に応じて、商品サンプルを照らすサンプル用照明部の光の色温度を制御するように構成されていることを特徴とする請求項１に記載の自動販売機用照明装置。
【請求項９】
請求項１〜８のいずれか１項に記載の自動販売機用照明装置を備えていることを特徴とする自動販売機。
【発明の詳細な説明】
【技術分野】
【０００１】
本発明は、食料や飲料等を販売する自動販売機、及び自動販売機において商品サンプルの照明に用いられる自動販売機用照明装置に関するものである。
【背景技術】
【０００２】
従来から、食料や飲料等を販売する自動販売機が提供されており、特に、缶や、瓶、紙パック、ペットボトル等の容器入り飲料の自動販売機としては、商品を温蔵又は冷蔵することができる、所謂ホットアンドコールド機が良く用いられている。
【０００３】
このような自動販売機には、販売商品の商品サンプルの展示空間が設けられており、この展示空間には、商品サンプルとともに、対応する商品サンプルの値段と、温蔵（温かい）商品である冷蔵（冷たい）商品であるか等の商品の種別とを表示するための表示部が設けられている。
【０００４】
したがって、購入者は、商品サンプルと表示部とを照らし合わせて、購入しようとする商品が、本当に自身の欲する商品であるかを確認して購入を行う必要があるが、一般に、表示部は、幅が１０〜１５ｍｍ程度と狭く、商品サンプルに比べて目立たないため、表示部を見落としてしまうおそれがある。このような場合、購入者は、商品サンプルを見た個人の先入観念の下に、購入しようとしている商品が温蔵か冷蔵であるかを判断して購入釦を押し、その結果、希望するものとは逆の温度の商品を購入してしまうという問題が生じていた。
【０００５】
そこで、このような問題を解決するために、特許文献１の自動販売機では、透光性材料からなる商品サンプル（販売見本）を用い、この商品サンプルを、加熱（温蔵）された販売商品のものであれば暖色（温色）に照明し、冷却（冷蔵）された販売商品のものであれば寒色（冷色）に照明するようにしている（同様のものとしては、特許文献２が挙げられる）。また、特許文献３には、展示空間全体を、暖色、又は寒色で照明することで季節感を演出することについて記載されている。
【特許文献１】特開平８−２８７３４０号公報（段落番号〔００３２〕〜〔００３９〕、及び図１〜図３参照）
【特許文献２】特開２００２−３５８５６１号公報（段落番号〔００３０〕〜〔００３２〕、及び図３参照）
【特許文献３】特開２００５−１４２０３２号公報（段落番号〔００１９〕〜〔００２７〕、及び図１〜図３参照）
【発明の開示】
【発明が解決しようとする課題】
【０００６】
上記特許文献１，２の自動販売機では、商品サンプルを暖色系の光、又は寒色系の光で照らしているので、購入者が、商品サンプルを見ることで、商品サンプルが温蔵商品のものであるか、冷蔵商品のものであるかを判別し易くなり、表示部を見落とした場合でも、希望するものとは逆の温度の商品を購入してしまうことを抑制できていた。
【０００７】
しかしながら、上記特許文献１，２に示すような自動販売機では、商品サンプルを個別に、光色の異なる光で照らすことができるものの、商品サンプルを照らす光は、展示空間内を照らす光としても用いられるようになっているので、商品サンプルとその周囲の展示空間は、同じ光源から照射される光によって照らされることになる。
【０００８】
このように同じ色の光で商品サンプルと展示空間内を照らしたのでは、展示空間に対して商品サンプルが際立たず、茫洋とした印象を与えてしまい、商品サンプルに良好な演出効果を与えることができなかった。
【０００９】
本発明は上述の点に鑑みて為されたもので、その目的は、照明による商品サンプルの演出効果を高めることができる自動販売機用照明装置、及び自動販売機を提供することにある。
【課題を解決するための手段】
【００１０】
上述の課題を解決するために、請求項１の自動販売機用照明装置の発明では、自動販売機の商品サンプルの展示空間に設置され、透光性を有する商品サンプルを該商品サンプルの内側から照らすサンプル用照明部と、該サンプル用照明部の近傍に設置され前記サンプル用照明部とは異なる光色を有して前記商品サンプルの外側の展示空間を照らす展示用照明部と、サンプル用照明部の光色を制御する制御部とを備えていることを特徴とする。
【００１１】
請求項２の自動販売機用勝目装置の発明では、請求項１の構成に加えて、制御部は、温蔵商品の商品サンプルを照らすサンプル用照明部の光の色温度を、３３００Ｋ未満に設定することを特徴とする。
【００１２】
請求項３の自動販売機用照明装置の発明では、請求項１の構成に加えて、制御部は、冷蔵商品の商品サンプルを照らすサンプル用照明部の光の色温度を、５３００Ｋ以上に設定することを特徴とする。
【００１３】
請求項４の自動販売機用照明装置の発明では、請求項１の構成に加えて、制御部は、サンプル用照明部の光の色温度を、３３００Ｋ未満又は５３００Ｋ以上に切り換える切換手段を備えていることを特徴とする。
【００１４】
請求項５の自動販売機用照明装置の発明では、請求項１の構成に加えて、商品サンプルを配置するサンプル配置治具の形状を元に商品サンプルの種別を判定する種別判定部を備え、制御部は、種別判定部の判定結果に応じて、商品サンプルを照らすサンプル用照明部の光の色温度を制御するように構成されていることを特徴とする。
【００１５】
請求項６の自動販売機用照明装置の発明では、請求項１の構成に加えて、商品サンプルの種別が記憶された無線信号送信部が出力する無線信号を受信し、受信した無線信号の内容を元に商品サンプルの種別を判定する種別判定部を備え、制御部は、種別判定部の判定結果に応じて、商品サンプルを照らすサンプル用照明部の光の色温度を制御するように構成されていることを特徴とする。
【００１６】
請求項７の自動販売機用照明装置の発明では、請求項１の構成に加えて、商品サンプルの種別を含む情報を表示する表示部の色を元に商品サンプルの種別を判定する種別判定部を備え、制御部は、種別判定部の判定結果に応じて、商品サンプルを照らすサンプル用照明部の光の色温度を制御するように構成されていることを特徴とする。
【００１７】
請求項８の自動販売機用照明装置の発明では、請求項１の構成に加えて、制御部は、自動販売機において販売商品が貯蔵される貯蔵庫の庫内の温度を制御する温度制御信号を元に商品サンプルの種別を判定し、その判定結果に応じて、商品サンプルを照らすサンプル用照明部の光の色温度を制御するように構成されていることを特徴とする。
【００１８】
請求項９の自動販売機の発明では、請求項１〜８のいずれか１項に記載の自動販売機用照明装置を備えていることを特徴とする。
【発明の効果】
【００１９】
請求項１の自動販売機用照明装置の発明は、商品サンプルを照らすサンプル用照明部の光色と、展示空間を照らす展示用照明部の光色とを異なる色に設定でき、これによりサンプル用照明部の光色を展示用照明部の光色と対比して際立たせることが可能となって、照明による商品サンプルの演出効果を高めることができるという効果を奏する。
【００２０】
請求項２の自動販売機用勝目装置の発明は、温蔵商品の商品サンプルを、３３００Ｋ未満の色温度の光で照らしているので、温蔵商品の商品サンプルを見た人に、その商品が暖かいものであるという印象を与えることができ、これにより購買意欲を高めることができるという効果を奏し、しかも冷蔵商品と間違って購入してしまうことを抑制できるという効果を奏する。
【００２１】
請求項３の自動販売機用照明装置の発明は、冷蔵商品の商品サンプルを、５３００Ｋ以上の色温度の光で照らしているので、冷蔵商品の商品サンプルを見た人に、その商品が冷たいものであるという印象を与えることができ、これにより購買意欲を高めることができるという効果を奏し、しかも温蔵商品と間違って購入してしまうことを抑制できるという効果を奏する。
【００２２】
請求項４の自動販売機用照明装置の発明は、商品サンプルを照らす光の色温度を、３３００Ｋ未満と５３００Ｋ以上に切り換える切換手段を備えているので、商品サンプルが温蔵商品であるか冷蔵であるかの種別に応じた、色温度の切換えを容易に行えるという効果を奏する。
【００２３】
請求項５の自動販売機用照明装置の発明は、商品サンプルの種別に応じた色温度の光を、その商品サンプルに自動的に照射できるという効果を奏する。
【００２４】
請求項６の自動販売機用照明装置の発明は、商品サンプルの種別に応じた色温度の光を、その商品サンプルに自動的に照射できるという効果を奏し、その上、無線信号送信部に記憶させる情報を書き換えるだけで商品サンプルの種別を設定できるから、種別判定部で商品サンプルの種別を判定するための部品の再利用が容易になって、省資源化、省コスト化（低コスト化）が図れるという効果を奏する。
【００２５】
請求項７の自動販売機用照明装置の発明は、商品サンプルの種別に応じた色温度の光をその商品サンプルに自動的に照射できるという効果を奏し、その上、販売商品の種別や値段を含む情報の表示のために自動販売機に必ず設けられる表示部を用いて、商品サンプルの種別を判定するようにしているから、種別判定部で商品サンプルの種別を判定するための部品を新たに設ける必要がなくなり、これにより、さらなる省資源化、省コスト化（低コスト化）が図れるという効果を奏する。
【００２６】
請求項８の自動販売機用照明装置の発明は、商品サンプルの種別に応じた色温度の光をその商品サンプルに自動的に照射できるという効果を奏し、その上、自動販売機の貯蔵庫に出力される温度制御信号を用いて商品サンプルの種別を判定するようにしているから、種別判定部で商品サンプルの種別を判定するための部品を新たに設ける必要がなくなり、これにより、さらなる省資源化、省コスト化（低コスト化）が図れるという効果を奏する。また、貯蔵庫の温度を検出しているから、販売商品が温蔵されているか冷蔵されているかを間違ってしまうことがなく、例えば人為的なミス等が生じることないという効果を奏する。
【００２７】
請求項９の自動販売機の発明は、照明による商品サンプルの演出効果が向上した自動販売機が得られるという効果を奏する。
【発明を実施するための最良の形態】
【００２８】
（実施形態１）
本実施形態の自動販売機用照明装置（以下、単に「照明装置」と略称する）は、図２に示すように、自動販売機１００に用いられるものであり、図１（ａ），（ｂ）に示すように、自動販売機１００における商品サンプル２００の展示空間１１１に設置され、透光性を有する商品サンプル２００を該商品サンプル２００の内側から照らすサンプル用照明部２と、該サンプル用照明部２の近傍に設置され前記サンプル用照明部２とは異なる光色を有して前記商品サンプル２００の外側の展示空間１１１を照らす展示用照明部３とを有する照明ブロック１を備えるとともに、サンプル用照明部２の光色を制御する制御部４を備えている。
【００２９】
まず、自動販売機１００について簡単に説明する。自動販売機１００は、例えば販売商品の温蔵（一般に、６３℃以上）又は冷蔵（一般に、１０℃以下）が可能な所謂ホットアンドコールド機であって、図２に示すように、各種販売商品の貯蔵に用いられ、庫内の温度制御が可能な複数の貯蔵庫（図示せず）、及び各貯蔵庫の温度管理（すなわち温蔵、冷蔵の設定）や各貯蔵庫の販売商品の品切れ状態の確認等を行う中央制御部（図示せず）等を備える略箱状の自動販売機本体１０１と、自動販売機本体１０１の前面に開閉自在に取り付けられる扉部１１０とを備えている。尚、自動販売機本体１０１は、従来から周知のものであるから詳細な説明は省略する。
【００３０】
扉部１１０の前面には、図１（ａ），（ｂ）及び図２に示すように、販売商品の商品サンプル２００を展示（陳列）するための展示空間（展示室）１１１が設けられており、この展示空間１１１は、透明な保護パネル１２０により保護されている。また、扉部１１０には、購入商品を選択して購入するための購入釦１１２や、コイン（硬貨）投入口１１３、商品取出口１１４等が設けられている。
【００３１】
この展示空間１１１には、図１（ａ）に示すように、商品サンプル２００を設置するための台部１３０が複数設けられており、台部１３０の前面（図１（ａ）における左面）には、対応する商品サンプル２００の値段と、温蔵（温かい）や冷蔵（冷たい）等の商品の種別を表示するための表示部１４０が設けられている。このような表示部１４０は、温蔵商品に用いられる場合は、暖かいことを強調するために、赤色や橙色等の暖色（温色）系の表示板（図示せず）に白色で「暖かい」や「ＨＯＴ」等の温蔵商品であることを示す単語が表示されたものが用いられている。また、表示部１４０は、冷蔵商品に用いられる場合は、冷たいことを強調するために、青色等の寒色（冷色）の表示板（図示せず）に白色で「冷たい」や「ＣＯＬＤ」等の冷蔵商品であることを示す単語が表示されたものが用いられている。
【００３２】
また、台部１３０の上面（図１（ａ）における上面）には、商品サンプル２００を配置、固定するための板状のサンプル配置治具１５０が取り付けられており、このサンプル配置治具１５０は、透明な材料を用いて形成されている。ここで、サンプル配置治具１５０を透明な材料から形成するのは、サンプル配置治具１５０によって、照明ブロック１の光を遮らないようにするとともに、光色が変色しないようにするためである。
【００３３】
このような自動販売機１００に用いられる商品サンプル２００は、透光性を有する材料（例えば、光拡散性の良好な白色の透光性樹脂）を用いて、販売商品と略同形状に形成され、その外周面に、販売商品と同様なデザインのラベル（図示せず）等が付されている。尚、販売商品がペットボトルであれば、商品サンプル２００としては空のペットボトルを用いることもある。
【００３４】
したがって、商品サンプル２００をその内側から照らすことで、商品サンプル２００を全体的に光らせることができ、これにより照明による商品サンプル２００の演出が行えるようになっている。
【００３５】
次に、本実施形態の照明装置について説明する。本実施形態の照明装置は、図１（ａ）に示すように、商品サンプル２００の展示空間１１１に設置される照明ブロック１と、照明ブロック１の制御を行う制御部４とを備えている。
【００３６】
照明ブロック１は、図１（ｂ）に示すように、略円盤状の基板１ａを備え、この基板１ａには、商品サンプル２００を該商品サンプル２００の内側から照らすサンプル用照明部２と、サンプル用照明部１とは異なる光色を有して商品サンプル２００の外側の展示空間１１１を照らす展示用照明部３とが設けられている。
【００３７】
サンプル用照明部２は、温蔵商品用ＬＥＤ２０と、冷蔵商品用ＬＥＤ２１と、温蔵商品用ＬＥＤ２０及び冷蔵商品用ＬＥＤ２１の各調光回路を構成する電子部品群（図示せず）等とを基板１ａに実装することで構成されている。
【００３８】
温蔵商品用ＬＥＤ２０は、人に視覚を通じて温かみを感じさせる光（具体的には色温度が３３００Ｋ未満、好ましくは２８００Ｋの光）を放射する低色温度のＬＥＤであり、温蔵商品の商品サンプルを照らすために用いられる。一方、冷蔵商品用ＬＥＤは、人に視覚を通じて冷たさや涼しさを感じさせる光（具体的には色温度が５３００Ｋ以上、好ましくは７０００Ｋの光）を放射する高色温度のＬＥＤであり、冷蔵商品の商品サンプルを照らすために用いられる。
【００３９】
展示用照明部３は、温蔵商品用ＬＥＤ２０と冷蔵商品用ＬＥＤ２１のいずれとも光色が異なる展示用ＬＥＤ３０と、展示用ＬＥＤ３０の調光回路を構成する電子部品群（図示せず）等とを基板１ａに実装することで構成され、これにより展示用照明部３は、サンプル用照明部２の近傍に配置されている。
【００４０】
展示用ＬＥＤ３０は、展示空間１１１の色ムラをなくして（均斉度を高めて）見栄えを向上させるとともに、温蔵商品用ＬＥＤ２０又は冷蔵商品用ＬＥＤ２１の光色を際立たせるために、人に暖かさや冷たさを感じさせない色温度（温蔵商品用ＬＥＤ２０が放射する光の色温度と冷蔵商品用ＬＥＤ２１が放射する光の色温度との中間程度の色温度）、すなわち３３００Ｋ以上、５３００Ｋ未満の色温度（例えば、４３００Ｋ程度）の白色ＬＥＤを用いている。尚、展示用照明部３の放射する光の色としては、白色に限られるものではなく、サンプル用照明部２の放射する光と、光色が異なるものであればよく、例えば、サンプル用照明部２の光の色が引き立つような色であればよい。
【００４１】
ところで、サンプル用照明部２と展示用照明部３は、サンプル用照明部２の温蔵商品用ＬＥＤ２０及び冷蔵商品用ＬＥＤ２１と、展示用照明部３の展示用ＬＥＤ３０とが、基板１ａの中心を挟んで対向するようにして基板１ａの一面に設けられており、これによりサンプル用照明部２が商品サンプル２００の内側を、展示用照明部３が商品サンプル２００の外側を照らすことができるようにしている。この他、照明ブロック１では、各ＬＥＤ２０，２１，３０の実装形態、又は透明樹脂１ｂからなるレンズの形状によって、サンプル用照明部２が商品サンプル２００の内側を、展示用照明部３が商品サンプル２００の外側の展示空間１１１を、効率よく照らすことができるように、各ＬＥＤ２０，２１，３０の配向を調整している。
【００４２】
また、基板１ａには、各照明部２，３用の電源線Ｌ１と、各照明部２，３に制御部４からの制御信号を伝送するための制御線Ｌ２とが接続される。そして、サンプル用照明部２及び展示用照明部３が設けられるとともに、電源線Ｌ１及び制御線Ｌ２が接続された基板１ａは、電源線Ｌ１及び制御線Ｌ２が外方へ引き出された状態で、透明樹脂からなる略円柱状のレンズ部１ｂ内に封止され、これにより図１（ａ），（ｂ）に示すような照明ブロック１が得られることになる。
【００４３】
尚、サンプル用照明部２及び展示用照明部３の調光回路等の構成は、従来から周知のものを採用することができるから説明を省略する。
【００４４】
また尚、温蔵商品用ＬＥＤ２０、冷蔵商品用ＬＥＤ２１、及び展示用ＬＥＤ３０に用いるＬＥＤとしては、例えば、紫外線ＬＥＤや青色ＬＥＤ等と、該ＬＥＤが放射する光の波長を変換する蛍光体とからなるものを用いており、色温度の調整は、蛍光体の種類や分量を調整することで行っている。
【００４５】
制御部４は、サンプル用照明部２の動作を制御するサンプル用制御部と、展示用照明部３の動作を制御する展示用制御部とを備えており、制御線Ｌ２を用いて照明ブロック１に接続される。サンプル用制御手段は、温蔵商品用ＬＥＤ２０と冷蔵商品用ＬＥＤ２１のいずれかを点灯させることで、サンプル用照明部２の光の色温度を、３３００Ｋ未満又は５３００Ｋ以上に切り換える切換手段と、サンプル用照明部２の調光回路を制御して温蔵商品用ＬＥＤ２０と冷蔵商品用ＬＥＤ２１の点灯時の明るさを調節するサンプル用調光手段とを備えている。展示用制御手段は、展示用照明部３の調光回路を制御して展示用ＬＥＤ３０の点灯時の明るさを調節する展示用調光手段を備えている。
【００４６】
また、制御部４は、これら切換手段とサンプル用調光手段と展示用調光手段とをそれぞれ手動操作するためのスイッチやつまみ、押釦等の入力装置（図示せず）を備えており、サンプル用照明部２で点灯させるＬＥＤの切り換えや、各ＬＥＤ２０，２１，３０の輝度（明るさ）を所望の値に設定することができるようになっている。尚、制御部４の回路構成等は、従来から周知のものを用いることができるから説明を省略する。
【００４７】
以上述べたように、照明装置は、上記の照明ブロック１と、制御部４とを備えており、次のようにして自動販売機１００に設置される。すなわち、照明ブロック１は、台部１３０に埋設された状態で展示空間１１１に配置される。このとき、照明ブロック１は、温蔵商品用ＬＥＤ２０と、冷蔵商品用ＬＥＤ２１と、展示用ＬＥＤ３０とを台部１３０から上方に臨ませるとともに、図１（ｂ）に示すように、温蔵商品用ＬＥＤ２０と冷蔵商品用ＬＥＤ２１を商品サンプル２００の内側に位置させ、且つ展示用ＬＥＤ３０を商品サンプル２００の外側に位置させた状態で、台部１３０に埋設される。一方、制御部４は、扉部１１０の後面側（又は自動販売機本体１０１）に設置され、制御線Ｌ２により照明ブロック１に接続される。
【００４８】
次に照明装置の動作について説明する。照明装置では、上述したように制御部４の制御信号に基づいて照明ブロック１の動作が制御されるようになっており、サンプル用照明部２の温蔵商品用ＬＥＤ２０又は冷蔵商品用ＬＥＤ２１によって商品サンプル２００が、その内側から照らされ、展示用照明部３の展示用ＬＥＤ３０によって商品サンプル２００の外側の展示空間１１１が照らされることになる。
【００４９】
ここで、サンプル用照明部２において温蔵商品用ＬＥＤ２０と、冷蔵商品用ＬＥＤ２１のいずれを点灯させるかは、サンプル用照明部２で照らす商品サンプル２００の種別（温蔵商品であるか冷蔵商品であるか）によって選択される。
【００５０】
すなわち、商品サンプル２００が温蔵商品である場合は、制御部４の切換手段により温蔵商品用ＬＥＤ２０を点灯させ、これにより商品サンプル２００が温蔵商品用ＬＥＤ２０の放射する色温度が３３００Ｋ未満の光で照らされる。一方、商品サンプル２００が冷蔵商品である場合は、制御部４の切換手段により冷蔵商品用ＬＥＤ２１を点灯させ、これにより、商品サンプル２００が冷蔵商品用ＬＥＤ２１の放射する色温度が５３００Ｋ以上の光で照らされる。尚、いずれの場合も、展示空間１１１は、展示用ＬＥＤ３０の放射する色温度が４３００Ｋの光で照らされる。
【００５１】
以上述べたように本実施形態の照明装置によれば、商品サンプル２００をその内側から照らすサンプル用照明部２と、サンプル用照明部２とは異なる光色を有して商品サンプル２００の外側の展示空間１１１を照らす展示用照明部３とを備えているので、商品サンプル２００を照らすサンプル用照明部２の光色と、展示空間１１１を照らす展示用照明部３の光色とを異なる色に設定でき、これによりサンプル用照明部２の光色を展示用照明部３の光色と対比して際立たせることが可能となって、照明による商品サンプル２００の演出効果を高めることができるという効果を奏する。
【００５２】
特に、商品サンプル２００が温蔵商品のものである場合に、商品サンプル２００を、３３００Ｋ未満の色温度の光で照らしているので、温蔵商品の商品サンプルを見た人に、その商品が暖かいものであるという印象を与えることができ、これにより購買意欲を高めることができるという効果を奏する。或いは、商品サンプル２００が冷蔵商品のものである場合に、商品サンプル２００を、５３００Ｋ以上の色温度の光で照らしているので、冷蔵商品の商品サンプルを見た人に、その商品が冷たいものであるという印象を与えることができ、これにより購買意欲を高めることができるという効果を奏する。
【００５３】
また、上述したように商品サンプル２００が温蔵商品のものであれば、人に暖かさを感じさせる３３００Ｋ未満の光を商品サンプル２００に照射し、商品サンプル２００が冷蔵商品のものであれば、人に冷たさを感じさせる５３００Ｋ以上の光を商品サンプル２００に照射しているので、商品サンプル２００を見ることで、商品サンプル２００が温蔵商品のものであるか冷蔵商品のものであるかを判別し易くなり、表示部１４０を見落とした場合でも、希望するものとは逆の温度の商品を購入してしまうことを抑制できるという効果を奏する。
【００５４】
加えて、制御部４は、商品サンプル２００を照らすサンプル用照明部２の光の色温度を、３３００Ｋ未満又は５３００Ｋ以上に切り換える切換手段を備えているので、商品サンプルが温蔵商品のものであるか冷蔵商品のものであるかの種別に応じた、色温度の切換えを容易に行えるという効果を奏する。
【００５５】
ところで、照明ブロック１としては、図１（ａ），（ｂ）に示すように、温蔵商品用ＬＥＤ２０及び冷蔵商品用ＬＥＤ２１を有するサンプル用照明部２と、展示用ＬＥＤ３０を有する展示用照明部３を有するものを用いているが、例えば図３（ａ）又は図３（ｂ）に示すようなものであってもよい。
【００５６】
図３（ａ）に示す照明ブロック１では、サンプル用照明部２に、温蔵商品用ＬＥＤ２０及び冷蔵商品用ＬＥＤ２１を設ける代わりに、輝度を個別に調整可能な３つのＬＥＤ（赤色ＬＥＤ、緑色ＬＥＤ、青色ＬＥＤ）からなる白色ＬＥＤ（ＲＧＢＬＥＤ）２２を用いている。これに対応してサンプル用照明部２は、白色ＬＥＤ２２の各ＬＥＤの輝度を制御する調光回路を有している。
【００５７】
上述した図３（ａ）に示す照明ブロック１を用いた場合、各色ＬＥＤの輝度を個別に制御することにより、白色ＬＥＤ２２から、色温度が３３００Ｋ以下の光或いは色温度が５３００Ｋ以上の光を放射することができる。また、このような白色ＬＥＤ２２では、放射する光の色温度を任意の値に設定することができるから、状況に応じて、サンプル用照明部２で放射する光の色温度を変化させることが可能となる。例えば、その日の気温や、季節等に応じて色温度を増減させることが可能となる。特に、上記のような３色のＬＥＤを用いた白色ＬＥＤは、青色ＬＥＤと青色光を黄色光に変換する蛍光体とからなる白色ＬＥＤ等を用いる場合に比べて良好な演色性を得ることができるという利点もある。
【００５８】
一方、図３（ｂ）に示す照明ブロック１では、図３（ａ）に示す構成に加えて、展示用照明部３の展示用ＬＥＤ３０を、輝度を個別に調整可能な３つのＬＥＤ（赤色ＬＥＤ、緑色ＬＥＤ、青色ＬＥＤ）からなる白色ＬＥＤ（ＲＧＢＬＥＤ）３１としている。尚、この変更に伴って展示用照明部３は、白色ＬＥＤ３１の各ＬＥＤの輝度を制御する調光回路を有している。
【００５９】
このようにすれば、サンプル用照明部２だけではなく、展示用照明部３の放射する光の色温度を任意の値に設定することができ、これにより状況に応じて展示用照明部３で放射する光の色温度を変化させることが可能となる。例えば、その日の気温や、季節等に応じて色温度を増減させることで、暑い日には自動販売機１００を見た人に涼しさを感じさせ、寒い日には自動販売機１００を見た人に暖かさを感じさせることが可能となる。
【００６０】
また、赤、青、緑の３色のＬＥＤの輝度を個別に制御可能な白色ＬＥＤを用いる代わりに、赤、青、緑の３色のＬＥＤを直列接続してなる白色ＬＥＤを用い、この白色ＬＥＤの光路（光軸）上に、印加電圧によって所定波長の透過率が変化する液晶フィルタを配置することで、サンプル用照明部２や展示用照明部３で放射する光の光温度を制御するようにしてもよい。
【００６１】
ところで、照明ブロック１のサンプル用照明部２から放射される光は、商品サンプル２００をその内側から照らすものであり、展示用照明部３から放射される光は、商品サンプル２００の外側の展示空間１１１を照らすものであり、それぞれ異なる光色を有しているから、これら照明部２，３の光はできるだけ混色しないようにすることが好ましい。
【００６２】
そこで、図４（ａ）に示すように、レンズ部１ｂにおける温蔵商品用ＬＥＤ２０及び冷蔵商品用ＬＥＤ２１と、展示用ＬＥＤ３０との間に、レンズ部１ｂの出射面（図４（ａ）における上面）にいくにつれて狭幅となるスリット１ｃを設けて、空気層を介在させるようにしてもよい。
【００６３】
このスリット１ｃは、長さ方向（図４（ａ）における紙面に直交する方向）に直交する断面が二等辺三角形状となっており、これにより温蔵商品用ＬＥＤ２０及び冷蔵商品用ＬＥＤ２１で放射されて展示用ＬＥＤ３０側に向かう光と、展示用ＬＥＤ３０で放射されて温蔵商品用ＬＥＤ２０及び冷蔵商品用ＬＥＤ２１側に向かう光の双方を、スリット１ｃの内面によりレンズ部１ｂの出射面側に反射するようにしている。したがって、このようなスリット１ｃによれば、温蔵商品用ＬＥＤ２０及び冷蔵商品用ＬＥＤ２１が放射する光と、展示用ＬＥＤ３０が放射する光が混ざってしまうことを抑制できる。
【００６４】
また、図４（ｂ）に示すように、温蔵商品用ＬＥＤ２０及び冷蔵商品用ＬＥＤ２１の光軸Ａ１と、展示用ＬＥＤ３０の光軸Ａ２とが平行せず、且つ交差しないように、基板１ａを折り曲げるようにしてもよい。このようにすることによっても、温蔵商品用ＬＥＤ２０及び冷蔵商品用ＬＥＤ２１が放射する光と、展示用ＬＥＤ３０が放射する光が混ざってしまうことを抑制できる。
【００６５】
尚、本実施形態では、自動販売機１００として、主として飲料販売用の自動販売機を想定しているため、商品サンプルの種別として、温蔵商品であるか冷蔵商品であるかを用いているが、商品サンプルの種別は、このような種別に限られるものではなく、冷凍商品（一般に−１５℃以下で保存される商品）を種別に加えるようにしてもよい。また尚、商品サンプルの種別は、上述したような温度（温蔵、冷蔵）による種別の他に、飲料か食料であるか等、様々な種別を採用することができ、各々の種別毎に、好適な照明による演出効果を与えることができる。この点は、後述する実施形態２〜５においても同様である。
【００６６】
（実施形態２）
本実施形態の照明装置は、図５に示すように上記実施形態１と同様の照明ブロック１を備えている。さらに、本実施形態の照明装置は、照明ブロック１を制御する（主にサンプル用照明部２の光色を制御する）制御部４Ａと、商品サンプルを配置する後述のサンプル配置治具１６０の形状を元に商品サンプルの種別（温蔵商品であるか冷蔵商品であるか）を判定する種別判定部５とを備え、制御部４Ａは、種別判定部５の判定結果に応じて、商品サンプルを照らすサンプル用照明部２の光の色温度を制御するように構成されている。尚、上記実施形態１と同様の構成については、同一の符号を付して説明を省略する。
【００６７】
本実施形態の照明装置を用いる場合は、上記実施形態１で述べたサンプル配置治具１５０の代わりに、図６（ａ）〜（ｃ）に示す前述のサンプル配置治具１６０を用いる。このサンプル配置治具１６０は、例えば透明樹脂を用いた合成樹脂成形品であり、前端部（図６（ａ）における下端部）が円弧状に形成された板状の載置板１６１と、載置板１６１の後端部（図６（ａ）における上端部）に幅方向（図６（ａ）における左右方向）に列設された４つの爪部１６２〜１６５とを一体に備え、載置板１６１には、上面に商品サンプルを載置するための円形状の凹部１６１ａが形成されている。
【００６８】
爪部１６２〜１６５は、図６（ｂ），（ｃ）に示すように、いずれも載置板１６１から後方に突出する横片部１６２ａ〜１６５ａと、横片部１６２ａ〜１６５ａの先端部から下方へ延設された縦片部１６２ｂ〜１６５ｂとを一体に備える略Ｌ字状に形成されている。
【００６９】
ここで、爪部１６２，１６５は、サンプル配置治具１６０を台部１３０に固定するために用いられる。一方、爪部１６３，１６４は、種別判定部５で商品サンプルの種別を判定するために用いられる。本実施形態では、爪部１６４を折って縦片部１６４ｂのみを除去した場合は、商品サンプルが温蔵商品であることを示し、爪部１６３を折って縦片部１６３ｂのみを除去した場合は、商品サンプルが冷蔵商品であることを示すように構成している。尚、これら爪部１６３，１６４には、それぞれスリット１６３ｃ，１６４ｃが設けられており、これにより爪部１６３，１６４を折って縦片部１６３ｂ，１６４ｂを除去し易くしている。
【００７０】
一方、上記サンプル配置治具１６０が取り付けられる台部１３０には、サンプル配置治具１６０の各爪部１６２〜１６５の縦片部１６２ｂ〜１６５ｂが個別に嵌入可能な孔部（図示せず）を設けている。
【００７１】
種別判定部５は、上述したように、サンプル配置治具１６０の形状を元に商品サンプルの種別（温蔵商品であるか冷蔵商品であるか）を判定するためのものであり、温蔵判定用スイッチ部５０と、冷蔵判定用スイッチ部５１を備えている。
【００７２】
温蔵判定用スイッチ部５０は、固定接点（図示せず）を有する端子板５０ａと、固定接点に接離する可動接点（図示せず）を一端側に有する棒状の可動接触子５０ｂと、可動接触子を他端側に付勢して可動接点を固定接点から離間させる復帰用弾性部材（図示せず）とを有し、可動接点が固定接点に接触するように可動接触子５０ｂが押圧されているときのみオンとなる常開型（ノーマリオフタイプ）のプッシュスイッチである。一方、冷蔵判定用スイッチ部５１は、温蔵判定用スイッチ部５０と同様の常開型のプッシュスイッチであって、固定接点（図示せず）を有する端子板５１ａと、固定接点に接離する可動接点（図示せず）を一端側に有する可動接触子５１ｂと、復帰用弾性部材（図示せず）とを有している。
【００７３】
そして、種別判定部５は、温蔵判定用スイッチ部５０の可動接触子５０ｂの他端側が、サンプル配置治具１６０に対応する台部１３０に設けられた孔部のうち爪部１６３に対応する孔部内に、冷蔵判定用スイッチ部５１の可動接触子５１ｂの他端側が、上記台部１３０に設けられた孔部のうち爪部１６４に対応する孔部内に、それぞれ突出された状態で、上記台部１３０に埋設されている。
【００７４】
したがって、上記台部１３０に設けられた孔部のうち爪部１６３に対応する孔部に、爪部１６３の縦片部１６３ｂを嵌入した際には、縦片部１６３ｂによって可動接触子５０ｂが固定接点側に押圧されて、温蔵判定用スイッチ部５０がオンされることになる。また、台部１３０に設けられた孔部のうち爪部１６４に対応する孔部に、爪部１６４の縦片部１６４ｂを嵌入した際には、縦片部１６４ｂによって可動接触子５１ｂが固定接点側に押圧されて、冷蔵判定用スイッチ部５１がオンされることになる。
【００７５】
また、種別判定部５の温蔵判定用スイッチ部５０と冷蔵判定用スイッチ部５１は、それぞれ電線Ｌ３，Ｌ４を用いて制御部４Ａに接続されている。
【００７６】
制御部４Ａは、上記実施形態１の制御部４と同様のものであるが切換手段の構成が異なっている。すなわち、制御部４Ａの切換手段は、上記各判定用スイッチ部５０，５１のオンオフによって、温蔵商品用ＬＥＤ２０と冷蔵商品用ＬＥＤ２１のいずれを点灯させるかを選択するように構成されている。尚、各判定用スイッチ部５０，５１のオンオフを検知する方法としては、スイッチ部５０，５１に電圧を印加して、電流が検知されるか否か等や、その他従来から周知の方法を用いることができる。
【００７７】
さらに詳しく説明すると、切換手段では、温蔵判定用スイッチ部５０がオン、冷蔵判定用スイッチ部５１がオフとなっていること（すなわち、爪部１６４のみが折られていること）を検知すると、制御線Ｌ２を通じて照明ブロック１に制御信号を出力して、サンプル用照明部２の温蔵商品用ＬＥＤ２０を点灯させる。一方、温蔵判定用スイッチ部５０がオフ、冷蔵判定用スイッチ部５１がオンとなっていること（すなわち、爪部１６３のみが折られていること）を検知すると、制御線Ｌ２を通じて照明ブロック１に制御信号を出力して、サンプル用照明部２の冷蔵商品用ＬＥＤ２１を点灯させる。
【００７８】
但し、両方の判定用スイッチ部５０，５１がオフ、又はオンである（つまり、爪部１６３，１６４の両方が折られている、又は折られていない）場合には、温蔵商品用ＬＥＤ２０と冷蔵商品用ＬＥＤ２１の両方ともオンとしないように構成している。
【００７９】
つまり、本実施形態の照明装置では、商品サンプルが温蔵商品のものである場合には、爪部１６４を折って縦片部１６４ｂのみを除去したサンプル配置治具１６０を上記の台部１３０に取り付ければよい。このようにすれば、サンプル配置治具１６０の爪部１６３の縦片部１６３ｂによって、種別判定部５の温蔵判定用スイッチ部５０の可動接触子５０ｂが押圧されて温蔵判定用スイッチ部５０がオンとなり、これによりサンプル用照明部２の温蔵商品用ＬＥＤ２０が点灯される。
【００８０】
一方、商品サンプルが冷蔵商品のものである場合には、爪部１６３を折って縦片部１６３ｂのみを除去したサンプル配置治具１６０を上記の台部１３０に取り付ければよい。このようにすれば、サンプル配置治具１６０の爪部１６４の縦片部１６４ｂによって、種別判定部５の冷蔵判定用スイッチ部５１の可動接触子５１ｂが押圧されて冷蔵判定用スイッチ部５１がオンとなり、これによりサンプル用照明部２の冷蔵商品用ＬＥＤ２１が点灯される。
【００８１】
以上述べたように、本実施形態の照明装置によれば、商品サンプルが載せられるサンプル配置治具１６０の形状（爪部が折られているか否か）によって、商品サンプルの種別、すなわち温蔵商品であるか冷蔵商品であるかを判定し、この判定結果に応じて、サンプル用照明部２で温蔵商品用ＬＥＤ２０と冷蔵商品用ＬＥＤ２１のいずれを点灯させるかが自動的に選択されるので、商品サンプルの種別に応じた色温度の光をその商品サンプルに自動的に照射できるという効果を奏する。
【００８２】
ところで、上記の例では、図５に示すように、温蔵判定用スイッチ部５０と冷蔵判定用スイッチ部５１の２つのスイッチを備える種別判定部５と、この種別判定部５の判定結果に応じて照明ブロック１を制御する制御部４Ａとを用いているが、本実施形態の照明装置は上記の例に限られるものではない。
【００８３】
例えば、本実施形態の照明装置としては、図７に示すように、一の判定用スイッチ部６０を備える種別判定部６と、この種別判定部６の判定結果に応じて照明ブロック１を制御する制御部４Ｂとを用いるようにしてもよい。
【００８４】
この場合、図８（ａ）〜（ｃ）に示すようなサンプル配置治具１７０を用いる。このサンプル配置治具１７０は、上記サンプル配置治具１６０と同様に透明樹脂を用いた合成樹脂成形品であり、前端部（図８（ａ）における下端部）が円弧状に形成された板状の載置板１７１と、載置板１７１の後端部（図８（ａ）における上端部）に幅方向（図８（ａ）における左右方向）に列設された３つの爪部１７２〜１７４とを一体に備え、載置板１７１には、上面に商品サンプルを載置するための円形状の凹部１７１ａが形成されている。
【００８５】
爪部１７２〜１７４は、図８（ｂ），（ｃ）に示すように、いずれも載置板１７１から後方に突出する横片部１７２ａ〜１７４ａと、横片部１７２ａ〜１７４ａの先端部から下方へ延設された縦片部１７２ｂ〜１７４ｂとを一体に備える略Ｌ字状に形成されている。
【００８６】
ここで、爪部１７２，１７４は、サンプル配置治具１７０を台部１３０に固定するために用いられ、爪部１７３は、種別判定部６で商品サンプルの種別を判定するために用いられる。本実施形態では、爪部１７３を折らなかった（縦片部１７４ｂを除去しなかった）場合は、商品サンプルが温蔵商品であることを示し、爪部１７３を折って縦片部１７３ｂを除去した場合は、商品サンプルが冷蔵商品であることを示すように構成している。尚、爪部１７３には、スリット１７３ｃが設けられており、これにより爪部１７３を折って縦片部１７３ｂを除去し易くしている。
【００８７】
一方、上記サンプル配置治具１７０が取り付けられる台部１３０には、サンプル配置治具１７０の各爪部１７２〜１７４の縦片部１７２ｂ〜１７４ｂがそれぞれ嵌入可能な孔部（図示せず）を設けている。
【００８８】
そして、種別判定部６は、図７に示すように、温蔵判定用スイッチ部５０と、冷蔵判定用スイッチ部５１を備える種別判定部５とは異なり、一の判定用スイッチ部６０のみを備えている。ここで、判定用スイッチ部６０は、温蔵判定用スイッチ部５０や冷蔵判定用スイッチ部５１と同様の常開型のプッシュスイッチであって、固定接点（図示せず）を有する端子板６０ａと、固定接点に接離する可動接点（図示せず）を一端側に有する可動接触子６０ｂと、復帰用弾性部材（図示せず）とを有している。
【００８９】
そして、種別判定部６は、判定用スイッチ部６０の可動接触子６０ｂの他端側が、サンプル配置治具１７０に対応する台部１３０に設けられた孔部のうち爪部１７３に対応する孔部内に突出された状態で、上記台部１３０に埋設されている。
【００９０】
したがって、上記台部１３０に設けられた孔部のうち爪部１７３に対応する孔部に、爪部１７３の縦片部１７３ｂを嵌入した際には、縦片部１７３ｂによって可動接触子６０ｂが固定接点側に押圧されて、判定用スイッチ部６０がオンされる一方、爪部１７３を折って縦片部１７３ｂを除去した際には、サンプル配置治具１７０を取り付けても、判定用スイッチ部６０がオフのままとなる。
【００９１】
また、種別判定部６の判定用スイッチ部６０は、電線Ｌ５を用いて制御部４Ｂに接続されている。
【００９２】
制御部４Ｂは、上記制御部４Ａと同様のものであるが切換手段の構成が異なっている。すなわち、制御部４Ｂの切換手段は、判定用スイッチ部６０のオンオフによって、温蔵商品用ＬＥＤ２０と冷蔵商品用ＬＥＤ２１のいずれを点灯させるかを選択するように構成されている。尚、判定用スイッチ部６０のオンオフを検知する方法としては、制御部４Ａと同様の構成を用いることができる。
【００９３】
さらに詳しく説明すると、切換手段では、判定用スイッチ部６０がオンとなっていること（すなわち、爪部１７３が折られていないこと）を検知すると、制御線Ｌ２を通じて照明ブロック１に制御信号を出力して、サンプル用照明部２の温蔵商品用ＬＥＤ２０を点灯させる。一方、判定用スイッチ部６０がオフとなっていること（すなわち、爪部１７３のみが折られていること）を検知すると、制御線Ｌ２を通じて照明ブロック１に制御信号を出力して、サンプル用照明部２の冷蔵商品用ＬＥＤ２１を点灯させる。
【００９４】
つまり、図７に示す照明装置では、商品サンプルが温蔵商品のものである場合には、爪部１７３を折っていないサンプル配置治具１７０を上記の台部１３０に取り付ければよく、このようにすれば、種別判定部６の判定用スイッチ部６０がオンされて、サンプル用照明部２の温蔵商品用ＬＥＤ２０が点灯される。一方、商品サンプルが冷蔵商品のものであるときには、爪部１７３を折って縦片部１７３ｂを除去したサンプル配置治具１７０を上記の台部１３０に取り付ければよく、このようにすれば、種別判定部６の判定用スイッチ部６０がオフのままであるから、サンプル用照明部２の冷蔵商品用ＬＥＤ２１が点灯される。
【００９５】
以上述べたように、図７に示す照明装置によっても、サンプル配置治具１７０の形状によって商品サンプルの種別を判定することができ、図５に示す例と同様に、商品サンプルの種別に応じた色温度の光をその商品サンプルに自動的に照射できるという効果を奏する。その上、図７に示す照明装置では、図５に示す例よりも種別判定部のスイッチ部の数を減らして、構成を簡略化できるという効果を奏する。
【００９６】
尚、本実施形態では、サンプル配置治具の爪部の形状によって、商品サンプルの種別を判定するようにしているが、サンプル配置治具の他の部位の形状によって、商品サンプルの種別を判定するようにしてもよいし、また、サンプル配置治具以外の物品を用いて商品サンプルの種別を判定するようにしてもよい。
【００９７】
（実施形態３）
本実施形態の照明装置は、図９（ａ）に示すように上記実施形態１と同様の照明ブロック１を備えている。さらに、本実施形態の照明装置は、照明ブロック１を制御する（主にサンプル用照明部２の光色を制御する）制御部４Ｃと、商品サンプル２００に設けられた（取り付けられた）無線信号送信部３００が出力する無線信号を受信する無線信号受信部（図示せず）を有し、受信した無線信号の内容を元に商品サンプル２００の種別（温蔵商品であるか冷蔵商品であるか）を判定する種別判定部７とを備え、制御部４Ｃは、種別判定部７の判定結果に応じて、商品サンプル２００を照らすサンプル用照明部２の光の色温度を制御するように構成されている。尚、上記実施形態１と同様の構成については、同一の符号を付して説明を省略する。
【００９８】
まず、商品サンプル２００に取り付ける無線信号送信部３００について説明する。無線信号送信部３００は、例えば、ＩＣチップ（図示せず）と、所定周波数（マイクロ波帯や、短波帯、長波帯）の無線信号を送受信するためのアンテナ（図示せず）とを樹脂に封止してなる所謂無線ＩＣタグであり、ＩＣチップのメモリ内には、商品サンプルの種別（温蔵商品であるか冷蔵商品であるか）が記憶されている。また無線信号送信部３００は、自身のＩＣチップのメモリ内に記憶されている商品サンプルの種別情報を無線信号により種別判定部７に伝送するように構成されている。尚、上記のような無線ＩＣタグは、従来から周知のものであるから、説明を省略する。
【００９９】
種別判定部７は、無線信号送信部３００の出力する無線信号を受信（送受信）するための無線信号受信部（図示せず）を備えており、該無線信号受信部で受信した無線信号の内容（すなわち、商品サンプルの種別）を元に商品サンプル２００の種別を判定し、その判定結果、つまりは商品サンプル２００が温蔵商品であるか冷蔵商品であるかを出力するように構成されている。また、種別判定部７は、通信線Ｌ６を用いて制御部４Ｃに接続されている。したがって、種別判定部７の判定結果は、通信線Ｌ６を通じて制御部４Ｃに伝送されることになる。尚、無線信号送信部３００と種別判定部７の通信範囲は、近接する（例えば数十ｍｍの範囲）に設定してあり、これにより他の商品サンプル２００に設けられた無線信号送信部や、当該無線信号送信部とは通信しないようにして、混信を防止している。
【０１００】
制御部４Ｃは、上記実施形態１の制御部４と同様のものであるが切換手段の構成が異なっている。すなわち、制御部４Ｃの切換手段は、通信線Ｌ６を通じて受信した種別判定部７の判定結果によって、温蔵商品用ＬＥＤ２０と冷蔵商品用ＬＥＤ２１のいずれを点灯させるかを選択するように構成されている。具体的には、商品サンプル２００が温蔵商品であれば、制御線Ｌ２を通じて照明ブロック１に制御信号を出力して、サンプル用照明部２の温蔵商品用ＬＥＤ２０を点灯させ、商品サンプル２００が冷蔵商品であれば、制御線Ｌ２を通じて照明ブロック１に制御信号を出力して、サンプル用照明部２の冷蔵商品用ＬＥＤ２１を点灯させる。
【０１０１】
つまり、本実施形態の照明装置では、商品サンプル２００が温蔵商品のものである場合には、商品サンプル２００に、商品サンプルが温蔵商品であるという情報を記憶させた無線信号送信部３００を取り付ければよい。このようにすれば、種別判定部７が無線信号送信部３００の無線信号を受信し、その無線信号の内容から商品サンプル２００が温蔵商品のものであると判定し、その結果が制御部４Ｃに伝送され、制御部４Ｃによりサンプル用照明部２の温蔵商品用ＬＥＤ２０と、展示用照明部３の展示用ＬＥＤ３０が点灯されることになる。
【０１０２】
一方、商品サンプル２００が冷蔵商品のものである場合には、商品サンプル２００に、商品サンプルが冷蔵商品であるという情報を記憶させた無線信号送信部３００を取り付ければよい。このようにすれば、種別判定部７が無線信号送信部３００の無線信号を受信し、その無線信号の内容から商品サンプル２００が冷蔵商品のものであると判定し、その結果が制御部４Ｃに伝送される。そして、種別判定部７より判定結果を取得した制御部４Ｃにより、サンプル用照明部２の冷蔵商品用ＬＥＤ２１と、展示用照明部３の展示用ＬＥＤ３０が点灯されることになる。
【０１０３】
以上述べたように、本実施形態の照明装置によれば、商品サンプル２００に設けられた無線信号送信部３００が出力する無線信号の内容に基づいて種別判定部７で商品サンプルの種別を判定し、この判定結果に応じて、サンプル用照明部２で温蔵商品用ＬＥＤ２０と冷蔵商品用ＬＥＤ２１のいずれを点灯させるかが自動的に選択されるので、商品サンプルの種別に応じた色温度の光をその商品サンプルに自動的に照射できるという効果を奏する。その上、本実施形態の照明装置によれば、商品サンプル２００に設けた無線信号送信部３００に記憶させる情報を書き換えるだけで商品サンプル２００の種別を設定できるから、商品サンプル２００の種別を設定するために、上記実施形態２のようにサンプル配置治具の爪部を折ったりしなくて済み、これにより種別判定部で商品サンプルの種別を判定するための部品（本実施形態の場合、無線信号送信部３００）の再利用が容易になって、省資源化、省コスト化（低コスト化）が図れるという効果を奏する。
【０１０４】
尚、図９（ａ）に示す例では、無線信号送信部３００を、商品サンプル２００に設けているが、無線信号送信部３００は、種別判定部７と通信を行える程度の位置に設けてあればよく、例えば、台部１３０や、表示部１４０、サンプル配置治具１５０に設けるようにしてもよい。
【０１０５】
（実施形態４）
本実施形態の照明装置は、図９（ｂ）に示すように上記実施形態１と同様の照明ブロック１を備えている。さらに、本実施形態の照明装置は、照明ブロック１を制御する（主にサンプル用照明部２の光色を制御する）制御部４Ｄと、照明ブロック１が設置される台部１３０に設けられた表示部１４０の色を元に商品サンプル２００の種別（温蔵商品であるか冷蔵商品であるか）を判定する種別判定部８とを備え、制御部４Ｄは、種別判定部８の判定結果に応じて、商品サンプル２００を照らすサンプル用照明部２の光の色温度を制御するように構成されている。尚、上記実施形態１と同様の構成については、同一の符号を付して説明を省略する。
【０１０６】
種別判定部８は、表示部１４０の色を識別して色情報を出力する図示しないカラーセンサ（色センサ）を備えており、該カラーセンサの出力を基にして商品サンプル２００の種別を判定し、その判定結果を出力するように構成されている。また、種別判定部８は、通信線Ｌ７を用いて制御部４Ｄに接続されている。したがって、種別判定部８の判定結果は、通信線Ｌ７を通じて制御部４Ｄに伝送されることになる。
【０１０７】
この種別判定部８では、次のようにして商品サンプル２００の種別を判定するようにしている。すなわち、表示部１４０は、一般的に上記実施形態１で述べたように温蔵商品に用いられる場合は赤色や橙色等の暖色系の色の表示板（図示せず）が用いられ、冷蔵商品に用いられる場合は青色等の寒色系の色の表示板（図示せず）が用いられるから、このような表示板の色をカラーセンサにより取得して、表示板の色が暖色系の色であれば、温蔵商品であると判定し、表示板の色が寒色系の色であれば、冷蔵商品であると判定するようにしている。尚、カラーセンサは、従来から周知のものを用いることができるから説明を省略し、このようなカラーセンサを用いた色の判定方法も従来から周知の方法を採用することができるから説明を省略する。
【０１０８】
制御部４Ｄは、上記実施形態１の制御部４と同様のものであるが切換手段の構成が異なっている。すなわち、制御部４Ｄの切換手段は、通信線Ｌ７を通じて受信した種別判定部８の判定結果によって、温蔵商品用ＬＥＤ２０と冷蔵商品用ＬＥＤ２１のいずれを点灯させるかを選択するように構成されている。具体的には、商品サンプル２００が温蔵商品であれば、制御線Ｌ２を通じて照明ブロック１に制御信号を出力してサンプル用照明部２の温蔵商品用ＬＥＤ２０を点灯させ、商品サンプル２００が冷蔵商品であれば、制御線Ｌ２を通じて照明ブロック１に制御信号を出力してサンプル用照明部２の冷蔵商品用ＬＥＤ２１を点灯させる。
【０１０９】
つまり、本実施形態の照明装置では、販売商品の種別や値段を含む情報を表示するために自動販売機１００に必ず設けられる表示部１４０の表示板の色によって、商品サンプル２００が温蔵商品のものか冷蔵商品のものかが判定され、温蔵商品のものであれば温蔵商品用ＬＥＤ２０と展示用ＬＥＤ３０が点灯され、冷蔵商品のものであれば冷蔵商品用ＬＥＤ２１と展示用ＬＥＤ３０が点灯される。
【０１１０】
以上述べたように、本実施形態の照明装置によれば、表示部１４０の表示板の色に応じて、サンプル用照明部２で温蔵商品用ＬＥＤ２０と冷蔵商品用ＬＥＤ２１のいずれを点灯させるかが自動的に選択されるので、商品サンプルの種別に応じた色温度の光をその商品サンプルに自動的に照射できるという効果を奏する。
【０１１１】
その上、本実施形態の照明装置では、自動販売機１００に必ず設けられる表示部１４０を用いて、商品サンプルの種別を判定するようにしているから、上記実施形態２の種別判定用の爪部を設けたサンプル配置治具１６０，１７０や、上記実施形態３の無線信号送信部３００等の種別判定部で商品サンプルの種別を判定するための部品を新たに設ける必要なくなり、これにより、さらなる省資源化、省コスト化（低コスト化）が図れるという効果を奏する。
【０１１２】
（実施形態５）
本実施形態の照明装置は、上記実施形態１の照明装置と同様のものであるが、制御部の構成、特に切換手段の構成が異なっている。尚、上記実施形態１と同様の構成については、同一の符号を付して説明を省略する。
【０１１３】
本実施形態の制御部の切換手段は、自動販売機１００において商品サンプル２００に対応する販売商品が貯蔵されている貯蔵庫の温度（管理温度）を元に商品サンプルの種別（温蔵商品のものか、冷蔵商品のものか）を判定する種別判定部（図示せず）と、該種別判定部の判定結果によって、温蔵商品用ＬＥＤ２０と冷蔵商品用ＬＥＤ２１のいずれを点灯させるかを選択することで、商品サンプルを照らすサンプル用照明部２の光の色温度を制御する色温度制御部（図示せず）とを備えている。
【０１１４】
種別判定部は、商品サンプル２００に対応する販売商品が貯蔵されている貯蔵庫の管理温度を、図２に示す自動販売機本体１０１の中央制御部から前記貯蔵庫に出力される温度制御信号から取得するように構成されている。また、種別判定部は、温度制御信号により取得した貯蔵庫の管理温度が、所定の閾値以上であれば温蔵商品と判定し、所定の閾値未満であれば冷蔵商品と判定するように構成されている。ここで、一般に温蔵は６３℃以上とされ、冷蔵は１０℃以下とされることから、上記の所定の閾値としては、１０℃超〜６３℃未満の値（例えばこの範囲における略中間の値である約３６℃等）を採用すればよい。より厳密には、温蔵と冷蔵とで閾値を別個に設定し、温蔵の判定に用いる閾値を６３℃、冷蔵の判定に用いる閾値を１０℃としてもよい。
【０１１５】
色温度制御部は、商品サンプル２００が温蔵商品であれば、制御線Ｌ２を通じて照明ブロック１に制御信号を出力して、サンプル用照明部２の温蔵商品用ＬＥＤ２０を点灯させ、商品サンプル２００が冷蔵商品であれば、制御線Ｌ２を通じて照明ブロック１に制御信号を出力して、サンプル用照明部２の冷蔵商品用ＬＥＤ２１を点灯させるように構成されている。
【０１１６】
つまり、本実施形態の照明装置では、自動販売機１００の貯蔵庫の管理温度によって、商品サンプル２００が温蔵商品のものか冷蔵商品のものかが判定され、温蔵商品のものであれば、制御部により温蔵商品用ＬＥＤ２０と展示用ＬＥＤ３０が点灯され、冷蔵商品のものであれば、制御部により冷蔵商品用ＬＥＤ２１と展示用ＬＥＤ３０が点灯される。
【０１１７】
以上述べたように、本実施形態の照明装置によれば、自動販売機１００の貯蔵庫に出力される温度制御信号を元に商品サンプルの種別を判定し、その判定結果に応じて、サンプル用照明部２で温蔵商品用ＬＥＤ２０と冷蔵商品用ＬＥＤ２１のいずれを点灯させるかが自動的に選択されるので、商品サンプルの種別に応じた色温度の光をその商品サンプルに自動的に照射できるという効果を奏する。
【０１１８】
その上、本実施形態の照明装置では、貯蔵庫に出力される温度制御信号を用いて商品サンプルの種別を判定するようにしているから、上記実施形態２の種別判定用の爪部を設けたサンプル配置治具１６０，１７０や、上記実施形態３の無線信号送信部３００等の種別判定部で商品サンプルの種別を判定するための部品を新たに設ける必要なくなり、これにより、さらなる省資源化、省コスト化（低コスト化）が図れるという効果を奏する。
【０１１９】
また、貯蔵庫の温度を検出しているから、販売商品が温蔵されているか冷蔵されているかを間違ってしまうことがなく、例えば、上記実施形２におけるサンプル配置治具の爪部の折間違えや、上記実施形態３における無線信号送信部３００の取り付けミス、上記実施形態４における表示部１４０の付け間違え等の人為的なミス等が生じることないという効果を奏する。
【０１２０】
尚、本実施形態の制御部では、貯蔵庫に出力される温度制御信号を取得するようにしているが、温度制御信号に限らず、貯蔵庫の温度を得ることができる信号であれば、同様の効果を得ることができる。また尚、貯蔵庫に設けた温度検出素子を用いて、貯蔵庫の庫内の温度を取得するようにしてもよい。
【図面の簡単な説明】
【０１２１】
【図１】（ａ）は、実施形態１の自動販売機用照明装置の概略説明図であり、（ｂ）は、自動販売機用照明装置の要部の概略説明図である。
【図２】自動販売機の概略斜視図である。
【図３】（ａ）は、自動販売機用照明装置の要部の他の例を示す概略説明図であり、（ｂ）は、自動販売機用照明装置の要部のさらに他の例を示す概略説明図である。
【図４】（ａ），（ｂ）は、自動販売機用照明装置の要部のさらに他の例を示す概略説明図である。
【図５】実施形態２の自動販売機用照明装置の概略説明図である。
【図６】（ａ）は、実施形態２の自動販売機用照明装置に用いるサンプル配置治具の上面図であり、（ｂ）は、側面図であり、（ｃ）は、背面図である。
【図７】実施形態２の自動販売機用照明装置の他例の概略説明図である。
【図８】（ａ）は、実施形態２の自動販売機用照明装置の他例に用いるサンプル配置治具の他例の上面図であり、（ｂ）は、側面図であり、（ｃ）は、背面図である。
【図９】（ａ）は、実施形態３の自動販売機用照明装置の概略説明図であり、（ｂ）は、実施形態４の自動販売機用照明装置の概略説明図である。
【符号の説明】
【０１２２】
１    照明ブロック
２    サンプル用照明部
２０  温蔵商品用ＬＥＤ
２１  冷蔵商品用ＬＥＤ
３    展示用照明部
３０  展示用ＬＥＤ
４    制御部
１００  自動販売機
１１１  展示空間
２００  商品サンプル
【図１】
2008009544.tif 000003
【図２】
2008009544.tif 000004
【図３】
2008009544.tif 000005
【図４】
2008009544.tif 000006
【図５】
2008009544.tif 000007
【図６】
2008009544.tif 000008
【図７】
2008009544.tif 000009
【図８】
2008009544.tif 000010
【図９】
2008009544.tif 000011